(57)【要約】【課題】結合フレームを伝送するフレーム伝送システム及びフレーム伝送方法に関し、フレーム間ギャップを省略して伝送効率を向上する。【解決手段】スイッチ装置１０を介してフレーム伝送を行うフレーム伝送システム及びフレーム伝送方法であって、スイッチ装置１０は、送信する複数のフレームのフレーム間ギャップを削除して結合し、その先頭に結合フレームヘッダを付加して結合フレームを形成し、受信した結合フレームをそのまま転送するか又は各フレームに分離してフレーム間ギャップを挿入するフレーム結合分離処理部１と、接続された送信先の装置が結合フレーム対応装置か否かの情報を含めてアドレス情報を保持するアドレス管理部３と、このアドレス管理部３を参照して、結合フレーム対応装置か否かに従って、フレーム結合分離処理部１を制御する制御部２とを備えている。【選択図】図１
2009218652.tif 000002
【特許請求の範囲】
【請求項１】
スイッチ装置を介してフレーム伝送を行うフレーム伝送システムに於いて、
前記スイッチ装置は、送信する複数のフレームのフレーム間ギャップを削除して結合フレームを形成し、受信した結合フレームを各フレームに分離してフレーム間ギャップを挿入するフレーム結合分離処理部と、接続された送信先の装置が結合フレーム対応装置か否かの情報を含めてアドレス情報を保持するアドレス管理部と、該アドレス管理部を参照して前記結合フレーム対応装置か否かに従って前記フレーム結合分離処理部を制御する制御部と
を備えていることを特徴とするフレーム伝送システム。
【請求項２】
前記フレーム結合分離処理部は、複数のフレームのフレーム間ギャップを削除して結合し、先頭に結合フレームの識別情報と該結合フレームのフレーム長情報とを含む結合フレームヘッダを付加する手段と、受信した結合フレームの前記結合フレームヘッダのフレーム長情報と、各フレームのヘッダのフレーム長情報とにより、各フレームに分離する手段とを備えていることを特徴とする請求項１記載のフレーム伝送システム。
【請求項３】
前記制御部は、前記フレーム結合処理部を制御して、前記結合フレームのペイロードを空とし、且つフラグメント禁止の設定を行った結合フレームを形成して送信し、該結合フレームに対する応答フレームの有無により、前記結合フレームの送受信可能のフレーム長を認識して前記アドレス管理部に設定する手段を備えていることを特徴とする請求項１記載のフレーム伝送システム。
【請求項４】
スイッチ装置を介してフレーム伝送を行うフレーム伝送方法に於いて、
前記スイッチ装置に対向して接続されている同一装置宛に送信する複数のフレームのフレーム間ギャップを削除し、且つ結合フレームヘッダを付加した結合フレームを形成し、該結合フレームを送信する過程と、
受信した結合フレームの各フレームの送信先が異なる場合及び結合フレームの受信処理が不可能の送信先に対して、各フレームに分離してフレーム間ギャップを挿入して送信する過程と
を含むことを特徴とするフレーム伝送方法。
【請求項５】
前記結合フレームのペイロードを空とし、且つフラグメント禁止の設定を行った結合フレームを送信する過程と、該結合フレームに対する応答フレームの有無により、前記スイッチ装置に対向して接続されている装置に於ける前記結合フレームの送受信可能のフレーム長を認識する過程とを含むことを特徴とする請求項４記載のフレーム伝送方法。
【発明の詳細な説明】
【技術分野】
【０００１】
本発明は、複数のフレームのフレーム間ギャップを削除して結合した結合フレームの伝送を可能としたフレーム伝送システム及びフレーム伝送方法に関する。
【背景技術】
【０００２】
ＩＰネットワークに於けるレイヤ２スイッチやレイヤ３スイッチ等のスイッチ装置を介してフレーム伝送する各種の伝送システムが知られている。このような伝送システムとして、例えば、図６に示すように、サーバＳＶに対して、レイヤ２スイッチやレイヤ３スイッチ等のスイッチ装置ＳＷ１〜ＳＷ８を介してクライアント（端末装置）ＣＬ１〜ＣＬ７がそれぞれネットワークを構成する伝送路を介して接続され、クライアントＣＬ１〜ＣＬ７は、サーバＳＶからフレーム構成によるストリーミングデータ等を受信するフレーム伝送システムに於いて、クライアントＣＬ１がスイッチ装置ＳＷ１，ＳＷ２，ＳＷ３を介してサーバＳＶからデータをダウンロードし、クライアントＣＬ２もサーバＳＬからスイッチ装置ＳＷ１，ＳＷ２を介してデータをダウンロードする場合、図７に示すように、サーバＳＶからクライアントＣＬ１には、フレームＣ１がクライアントＣＬ１を示す送信先アドレスに従って伝送され、クライアントＣＬ２には、フレームＣ２がクライアントＣＬ２を示す送信先アドレスに従って伝送され、サーバＳＶとスイッチ装置ＳＷ２との間ではフレームＣ１，Ｃ２がそれぞれ混在し、スイッチ装置ＳＷ２とクライアントＣＬ１との間では、クライアントＣＬ１に対するフレームＣ１、スイッチ装置ＳＷ２とクライアントＣＬ２との間では、クライアントＣＬ２に対するフレームＣ２がそれぞれ伝送される。
【０００３】
その場合、フレームＣ１，Ｃ２それぞれの相互間には、各フレームのフレーム長に関係なく所定長の例えば１バイト長のフレーム間ギャップＩＦＧ（Ｉｎｔｅｒ  Ｆｒａｍｅ  Ｇａｐ）が挿入される。各スイッチ装置ＳＷ１〜ＳＷ８は、フレーム到着毎に送信先アドレス等を基に転送処理を行うものである。又フレーム間ギャップＩＦＧは、フレーム長の短いフレームを多数伝送する場合、各フレーム間にそれぞれ挿入されることから、実際の伝送データ量に対するフレーム間ギャップＩＦＧの割合が大きくなり、フレーム伝送ネットワークに於けるトラフィックの増大の要因となっている。例えば、ＩＥＥＥ．８０２．３に於いて規定されているフレーム長は、６４〜１５１８バイト長であり、これに対して、例えば、９０００〜１６０００バイト長の結合フレームにより伝送する手段が提案されている。しかし、このような結合フレームは、同一送信先についてのフレーム長を長くしたものであり、標準化されていないことから、一般的なネットワークを介して伝送することが保証されているものではない。
【０００４】
又ネットワークに接続されたエッジルータと、その下位のルータと、この下位ルータに接続された複数のクライアント（端末装置）とを含み、マルチキャストデータをクライアントに伝送するシステムに於いて、エッジルータと下位ルータとの間は、クライアントに伝送するマルチキャストデータを、一つの共通のフレームとして伝送し、下位ルータに於いてクライアント数に対応してコピーしたフレームをそれぞれ伝送することにより、エッジルータと下位ルータとの間の伝送効率の改善を図る手段が提案されている（例えば、特許文献１参照）。又フレーム伝送システムに於いて、ネットワークを介して受信したフレームを一旦大容量メモリに書込み、その大容量メモリから読出したフレームを転送する手段に於いて、フレーム長の短いフレームが多数伝送され、受信フレーム毎に大容量メモリに対する書込み処理を実行し、読出しも１フレーム毎に実行すると、大容量メモリを設けたことによる効率の改善が得られないことから、例えば、２０４８バイト長のフレームデータの書込み及び読出しを一括して行うことができる大容量メモリに対して、最小のフレーム長６４バイトのフレームを繰り返し受信した場合には、フレーム結合を示す付加情報を含めてフレーム間結合した２０４８バイト長以下のフレーム長となるように、最大３１フレームについて一括して書込み、その大容量メモリから一括して読出したフレームを、付加情報を基に分割可能とする手段が提案されている（例えば、特許文献２参照）。
【特許文献１】特開２００３−３２２８７号公報
【特許文献２】特開２００５−３２８２９２号公報
【発明の開示】
【発明が解決しようとする課題】
【０００５】
フレーム伝送システムに於けるフレーム間ギャップＩＦＧを、例えば、前述のように、同一送信先については、削除して結合フレーム化することにより、伝送効率の向上を図ることが考えられる。しかし、前述のように標準化されたものではないから、総てのネットワークを介して結合フレームの伝送が保証されているとは限らない問題がある。又フレーム間ギャップＩＦＧを削除して結合フレーム化したフレーム伝送を可能としたネットワークに於いて、そのネットワークに新規にレイヤ２スイッチ等のスイッチ装置を接続し、そのスイッチ装置にクライアントを接続した場合、そのスイッチ装置が結合フレーム化したフレームの転送制御ができない設定であると、フレーム長が規定以上の長さで、正常フレームではないと判断し、そのフレームを破棄することになる。このように、新たなスイッチ装置が結合フレーム対応か否かを、フレームの送信側は識別することができない問題がある。又フレーム間ギャップを削除した場合に、伝送経路のスイッチ装置等が伝送処理を可能とする最大フレーム長についても、送信側では識別できない問題がある。即ち、フレーム間ギャップＩＦＧを削除して結合フレーム化した場合の伝送可能のフレーム長を送信側では認識できない問題がある。
【０００６】
又マルチキャストデータフレームのように、複数のクライアントに対して同一内容のデータを伝送する場合は、恰もフレーム間ギャップＩＦＧを省略したかのように、共通フレームとして伝送し、伝送過程でその共通フレームをコピーして各クライアントに伝送する前述の従来例の特許文献１のような手段は、クライアント毎に異なるデータのフレーム伝送には適用することができない。又大容量メモリに、所定長以下となるように複数フレームを結合して書込みを行う前述の従来の特許文献２に於いては、フレーム間ギャップＩＦＧを省略している代わりに、付加情報を介してフレーム間を結合したようなフォーマットとしてメモリに書込むもので、その付加情報は、３２ビット長の場合を示している。従って、伝送効率の改善の為の手段としては適用することができない。
【０００７】
本発明は、前述の従来の問題点を解決することを目的とし、フレーム伝送経路に於ける複数フレームのフレーム間ギャップを削除して結合フレーム化し、且つ元の各フレームに分離可能として伝送することにより、フレーム伝送効率を向上し、又フレーム送信側で、フレーム受信側がフレーム間ギャップ削減による結合した結合フレームの受信転送処理可能か否か及びその受信転送処理可能の結合フレーム長についても認識可能とするものである。
【課題を解決するための手段】
【０００８】
本発明のフレーム伝送システムは、スイッチ装置を介してフレーム伝送を行うフレーム伝送システムに於いて、スイッチ装置は、送信する複数のフレームのフレーム間ギャップを削除して結合フレームを形成し、受信した結合フレームを各フレームに分離してフレーム間ギャップを挿入するフレーム結合分離処理部と、接続された送信先の装置が結合フレーム対応装置か否かの情報を含めてアドレス情報を保持するアドレス管理部と、このアドレス管理部を参照して、結合フレーム対応装置か否かに従って前記フレーム結合分離処理部を制御する制御部とを備えている。
【０００９】
又前記フレーム結合分離処理部は、複数のフレームのフレーム間ギャップを削除して結合し、先頭に結合フレームの識別情報と、その結合フレームのフレーム長情報とを含む結合フレームヘッダを付加する手段と、受信した結合フレームの前記結合フレームヘッダのフレーム長情報と、各フレームのヘッダのフレーム長情報とにより、各フレームに分離する手段とを備えている。
【００１０】
又前記制御部は、フレーム結合処理部を制御して、結合フレームのペイロードを空とし、且つフラグメント禁止の設定を行った結合フレームを形成して送信し、この結合フレームに対する応答フレームの有無により、結合フレームの送受信可能のフレーム長を認識して、アドレス管理部に設定する手段を備えている。
【００１１】
又本発明のフレーム伝送方法は、スイッチ装置を介してフレーム伝送を行うフレーム伝送方法であって、スイッチ装置に対向して接続されている同一装置宛に送信する複数のフレームのフレーム間ギャップを削除し、且つ結合フレームヘッダを付加した結合フレームを形成し、この結合フレームを送信する過程と、受信した結合フレームの各フレームの送信先が異なる場合及び結合フレームの受信処理が不可能の送信先に対して、各フレームに分離してフレーム間ギャップを挿入して送信する過程とを含むものである。
【００１２】
又前記結合フレームのペイロードを空とし、且つフラグメント禁止の設定を行った結合フレームを送信する過程と、この結合フレームに対する応答フレームの有無により、スイッチ装置に対向して接続されている装置に於ける結合フレームの送受信可能のフレーム長を認識する過程とを含むものである。
【発明の効果】
【００１３】
送信先の端末装置がそれぞれ相違するフレームであっても、対向して接続されて同一の伝送路上に送信する場合に、複数のフレームのそれぞれのフレーム間ギャップを削除して結合した結合フレームを形成して伝送することにより、複数のフレームを伝送する場合の伝送効率を向上することが可能となる。又結合フレーム送受信対応装置か否か及び送受信可能のフレーム長について、ペイロードを空（ｎｕｌｌ）とし、且つフラグメント禁止設定した結合フレームを送信し、それに対する応答の識別により、結合フレームとしての伝送可能の最大フレーム長の認識も容易に可能となる。
【発明を実施するための最良の形態】
【００１４】
本発明のフレーム伝送システムは、図１を参照して説明すると、スイッチ装置１０を介してフレーム伝送を行うフレーム伝送システムであって、スイッチ装置１０は、送信する複数のフレームのフレーム間ギャップを削除して結合フレームを形成し、受信した結合フレームを各フレームに分離してフレーム間ギャップを挿入するフレーム結合分離処理部１と、接続された送信先の装置が結合フレーム対応装置か否かの情報を含めてアドレス情報を保持するアドレス管理部３と、このアドレス管理部３を参照して、結合フレーム対応装置か否かに従って、フレーム結合分離処理部１を制御する制御部２とを備えている。
【００１５】
本発明のフレーム伝送方法は、スイッチ装置１０を介してフレーム伝送を行うフレーム伝送方法であって、スイッチ装置１０に対向して接続されている同一装置宛に送信する複数のフレームのフレーム間ギャップを削除し、且つ結合フレームヘッダを付加した結合フレームを形成し、この結合フレームを送信する過程と、受信した結合フレームの各フレームの送信先が異なる場合及び結合フレームの受信処理が不可能の送信先に対して、各フレームに分離してフレーム間ギャップを挿入して送信する過程とを含むものである。
【実施例１】
【００１６】
図１は、本発明の実施例１のフレーム伝送システムの要部説明図であり、１はフレーム結合分離処理部、２は制御部、３はアドレス管理部、４，５は入出力ポート、６はネットワーク、１０はレイヤ２スイッチやレイヤ３スイッチ等のスイッチ装置を示す。入出力ポート４にネットワーク６を接続した場合を示し、このネットワーク６を介して他のスイッチ装置等が接続され、又入出力ポート５に、図示を省略した他のスイッチ装置、ネットワーク、クライアントの端末装置等が接続される。フレーム結合分離管理処理部１は、例えば、受信フレームが通常のフレーム長で、各受信フレーム間には、フレーム間ギャップＩＦＧが挿入されており、入出力ポートに接続されている対向装置が結合フレーム処理可能の場合、フレーム間ギャップＩＦＧを削除して結合フレーム構成として送信し、又入出力ポートに接続されている対向装置が通常のフレームのみを処理する機能を有する場合は、フレーム間の結合を行わずに、通常フレームとして、それぞれフレーム間ギャップＩＦＧを挿入して送信し、又結合フレームを受信した場合は、通常フレームに分離し、フレーム間ギャップＩＦＧを挿入して送信する。
【００１７】
又アドレス管理部３は、アドレステーブルを含む構成を有し、そのアドレステーブルには、ＭＡＣアドレスとＩＰアドレスとを含む送信元アドレス及び送信先アドレスと、入出力ポート４，５から結合フレーム送信可能であるか否かの情報と、入出力ポート４，５対応にそれぞれに対向接続される相手装置の処理可能の最大フレーム長情報とを含めて格納することができる。この場合、結合フレームを形成する各フレームのフレーム長情報を加算して、結合フレームのフレーム長を求めることができ、従って、最大フレーム長以下となるように、複数フレームを結合して結合フレームを形成することができる。又制御部２は、アドレス管理部３の管理制御と共に、フレーム結合分離処理部１を制御し、最大フレーム長以下に制限した結合フレームを形成することができる。このような制御部２の機能は、プロセッサ等により実現することができる。又入出力ポート４，５は、送受信バッファや伝送路との間のフレーム送受信処理を行うインタフェース機能を含むものであり、図示を省略した他のスイッチ装置やクライアントの端末装置等とネットワーク６等を介して接続する。なお、入出力ポート４，５の個数は、更に多く或いは少ない数とすることができる。
【００１８】
図２は、フレーム結合の説明図であり、（Ａ）は基本フレーム、（Ｂ）はフレーム間ギャップＩＦＧを挿入した複数の基本フレーム、（Ｃ）はフレーム間ギャップＩＦＧを削除した本発明の実施例による結合フレームのそれぞれ概要を示す。基本フレームの一般的な構成は、（Ａ）に示すように、イーサ（登録商標）ヘッダ（Ｈｅａｄｅｒ）ａ１（ＭＡＣヘッダ）と、ＩＰヘッダ（ＩＰ  Ｈｅａｄｅｒ）ａ２と、ＩＰペイロード（ＩＰ  Ｐａｙｌｏａｄ）ａ３と、フレームチェックシーケンスとしてのトレーラ（Ｔｒａｉｌｅｒ）ａ４とを含むものであり、ヘッダａ１は、送信先アドレスＤＡ、送信元アドレスＳＡ、フレーム長又はタイプＬＰ等を含み、ＩＰヘッダ２ａは、図示を省略した送信先ＩＰアドレスと送信元ＩＰアドレスと共に、２バイトのフレーム長情報ａ２１と１バイトのプロトコル番号情報ａ２２とを含むものであり、基本フレームとしてのフレーム長は、６４〜１５１８バイトのように標準化されている。（Ａ）に示す基本フレームを複数伝送する場合、従来は、（Ｂ）に示すように、基本フレーム間にそれぞれフレーム間ギャップＩＦＧを挿入して伝送するものであった。なお、トレーラａ４の位置のＦＣＳはフレームチェックシーケンスを示す。
【００１９】
本発明の実施例に於いては、図２の（Ｃ）に示すように、同一の入出力ポートから送出する複数フレームのそれぞれのフレーム間ギャップＩＦＧを省略して連続的なフレーム構成、即ち、結合フレーム構成とし、先頭にヘッダ（Ｈｅａｄｅｒ）ｃ１とＩＰヘッダ（ＩＰ  Ｈａｄｅｒ）ｃ２とを含む結合フレームヘッダＨＤを付加する。即ち、この結合フレームヘッダＨＤを先頭に付加して、複数フレームをカプセル化する。この結合フレームヘッダＨＤのＩＰヘッダｃ２に、結合フレームとしての例えば２バイトのフレーム長情報ｃ２１と、結合フレームであることを示す例えば１バイトのプロトコル番号情報ｃ２２とを付加する。このプロトコル番号情報ｃ２２により、受信したフレームが結合フレームであることを識別することができ、各フレームのＭＡＣヘッダａ１及びＩＰヘッダａ２の送信先アドレスが同一の場合はそのまま転送し、相違する場合は、入出力ポートが相違するか否かに応じて、相違する場合は、ＩＰヘッダｃ２のフレーム長情報ｃ２１及びＩＰヘッダａ２のフレーム長情報ａ２１を基に、各フレームを分割して送信する。
【００２０】
このような結合フレームを構成して伝送する為のフレーム結合と、結合フレームを受信して各フレームに分割するフレーム分離との処理を、図１に示すフレーム結合分離処理部１に於いて行うものであり、このフレーム結合分離処理部１を、アドレス管理部３を参照して制御部２により行う。例えば、同一ポートから送信する複数のフレームが存在する場合、フレーム結合分離処理部１によりフレーム間ギャップＩＦＧを挿入することなく結合して、結合フレーム構成とし、その先頭にヘッダｃ１とＩＰヘッダｃ２とを含む結合フレームヘッダを付加するものであり、ＩＰヘッダｃ２に、結合フレームとしてのフレーム長情報ｃ２１とプロトコル番号情報ｃ２２とを付加する。この場合のフレーム長情報ｃ２１は、各フレームのフレーム長情報ａ２１を加算して求めることができる。なお、結合フレームのフレーム長については、対向装置が受信処理対応可能の最大フレーム長情報を、アドレス管理部３に保持しておくことにより、その受信処理可能の範囲内にフレーム長を制限することが可能である。
【実施例２】
【００２１】
図３は、本発明の実施例２の説明図であり、レイヤ２スイッチやレイヤ３スイッチ等のスイッチ装置を、既設接続対応機器３１と新規接続対応機器３２と非対応機器３３として、ネットワーク３４を介して接続したフレーム伝送システムの概要を示し、ネットワーク３４に新規接続対応機器３２を接続して、結合フレームの伝送が可能であるか否かを確認する為に、ネットワーク３４を介してコントロールフレームを送信する。このコントロールフレームは、図２の（Ｃ）に示すＩＰヘッダｃ２の中のプロトコル番号情報ｃ２２により結合フレームであることを表示し、ＩＰペイロードａ３は空（ｎｕｌｌ）とする。この場合、既設続対応機器３１は、結合フレームの送受信に対応した構成を備えているから、新規接続対応機器３２からのコントロールフレームに対して応答するコントロールフレームを送信する。この既設続対応機器３１からの応答コントロールフレームもＩＰペイロードａ３は空（ｎｕｌｌ）とする。それにより、既設続対応機器３１と新規接続対応機器３２とは、相互にアドレスと結合フレーム対応可能であることを認識することができる。この場合、既設続対応機器３１と新規接続対応機器３２とは、例えば、図１に示すスイッチ装置の構成とするものである。
【００２２】
又結合フレームに対応できない非対応機器３３がネットワーク３４に接続されている場合、新規接続対応機器３２からネットワーク３４を介して前述のコントロールフレームを送信すると、結合フレームとしてのコントロールフレームは、フレーム長が長いことから規格外として廃棄し、応答コントロールフレームも送信しない。それにより、新規接続対応機器３２は、コントロールフレームを送信してから、所定時間経過後も応答のコントロールフレームを受信できないので、タイムアウトにより、結合フレームに対して対応できない機器であることを認識できる。それにより、この非対応機器３３に対するフレームは、通常のフレーム間ギャップＩＦＧを挿入して送信することになる。このような結合フレーム対応機器と非対応機器とは、例えば、図１に示すアドレス管理部３に於いてＩＰアドレス対応に識別可能として管理することができる。
【実施例３】
【００２３】
図４は、本発明の実施例３の説明図であり、４１，４２は結合フレーム対応のレイヤ２スイッチ等のスイッチ装置としての機器、４３はルータ、４４はネットワーク、４５，４６は端末装置等の通信装置を示し、フレーム伝送システムの要部を示すものであり、例えば、通信装置４５からネットワーク４４を経由して、送信先を通信装置４６とした通常のフレーム（ａ）を機器４１に於いて検出すると、そのフレームの送信先ＩＰアドレスと送信先ＭＡＣアドレスとを抽出し、通信装置４６に対してコントロールフレーム（ｂ）を送信する。このコントロールフレーム（ｂ）は、図２の（Ｃ）に示す結合フレームヘッダＨＤのＩＰヘッダｃ２の中のプロトコル番号情報ｃ２２により結合フレームであることを表示し、そのＩＰペイロードａ３は空（ｎｕｌｌ）としたものであり、ルータ４３は結合フレームを透過可能であり、機器４２が結合フレーム対応機器であれば、このコントロールフレーム（ｂ）を受信して、応答コントロールフレーム（ｃ）を機器４１に返送する。それにより、機器４１は、ネットワーク４４を介して接続されている機器４２は結合フレーム対応機器であることを認識することができる。従って、それに基づいて、機器４１と機器４２との間は、フレーム間ギャップＩＦＧを削除して結合した結合フレームとして相互に伝送することができる。又機器４１，４２は、例えば、図１に示すフレーム結合分離機能を有するスイッチ装置の構成とすることができる。
【実施例４】
【００２４】
図５は、本発明の実施例４の説明図であり、機器Ａ，Ｂは、前述の結合フレーム対応機器であるが、機器Ｃは結合フレーム対応機器であるか否か及び処理可能フレーム長が不明の場合、（Ａ）に示すように、機器Ａから機器Ｃを経由して機器Ｂに対して、ＩＣＭＰ（Ｉｎｔｅｒｎｅｔ  Ｃｏｎｔｒｏｌ  Ｍｅｓｓａｇｅ  Ｐｒｏｔｏｃｏｌ）の分割不可（フラグメント禁止）のフラグを“１”とし、フレーム長情報を処理可能の最大を示すＭＴＵ（Ｍａｘｉｍｕｍ  Ｔｒａｎｓｆｅｒ  Ｕｎｉｔ）を設定したＰｉｎｇコマンドを送信する。機器Ｃがその最大のフレーム長に対応した構成でない場合は、そのフレームを廃棄して、エラー応答を機器Ｃから送信元の機器Ｂへ送信する。
【００２５】
又図５の（Ｂ）に示すように、機器Ｃが結合フレーム対応機器の場合、機器ＢからのＩＣＭＰによるＭＴＵ設定のＰｎｉｇコマンドを、機器Ｃから機器Ａに転送可能となるから、機器Ａからの応答のＰｉｎｇレスポンスが機器Ｂに返送される。この場合、機器Ｂは、機器Ｃも結合フレーム対応機器であることを認識できる。又このようなフラグメント禁止のＰｉｎｇコマンドのＭＴＵとして、最大フレーム長から順次フレーム長を短く設定したＰｉｎｇコマンドを送信し、エラー応答がなくなった時のフレーム長により、機器Ａ，Ｂ間の結合フレームの最大フレーム長を設定することができる。この結合フレームの最大フレーム長の情報は、例えば、図１に於けるアドレス管理部３に於いて、機器Ａ，Ｂ対応に設定することができる。
【図面の簡単な説明】
【００２６】
【図１】本発明の実施例１の説明図である。
【図２】本発明の実施例１のフレーム結合の説明図である。
【図３】本発明の実施例２の説明図である。
【図４】本発明の実施例３の説明図である。
【図５】本発明の実施例４の説明図である。
【図６】従来例のフレーム伝送システムの説明図である。
【図７】従来例のフレーム伝送の説明図である。
【符号の説明】
【００２７】
１  フレーム結合分離処理部
２  制御部
３  アドレス管理部
４，５  入出力ポート
６  ネットワーク
１０  スイッチ装置
【図１】
2009218652.tif 000003
【図２】
2009218652.tif 000004
【図３】
2009218652.tif 000005
【図４】
2009218652.tif 000006
【図５】
2009218652.tif 000007
【図６】
2009218652.tif 000008
【図７】
2009218652.tif 000009